(57)【要約】【課題】浄化された空気を積極的に吸うことができ、特定の場所を浄化された空気で満たすと共に、タバコの煙等の局所的に汚染された空気が拡散するのを防ぎ、汚染された空気を浄化することができるように使用者が選択することができる空気清浄機を提供する。【解決手段】本体２の１つの面に吸気口、該吸気口の反対側の面に吹出し口を有し、前記本体２に集塵フィルタ７及び脱臭フィルタ１０を備えた空気清浄機１において、上面及び側面のいずれか一方又は両方に吸排気口３を有する第１のパネル４と、前面に吸排気口５を有する第２のパネル６とを備え、前記第１のパネル４を前記本体の吸気口側又は排気口側に取り付け、前記第２のパネル６を前記第１のパネル４とは反対側の面に取り付けたものである。【選択図】        図１
2004293956.tif 000002
【特許請求の範囲】
【請求項１】
本体の１つの面に吸気口、該吸気口の反対側の面に吹出し口を有し、前記本体に集塵フィルタ及び脱臭フィルタを備えた空気清浄機において、
前記本体の吸気口側に、上面及び側面のいずれか一方又は両方に吸排気口を有する第１のパネルを配置し、前記本体の吹出し口側に、前面に吸排気口を有する第２のパネルを配置したことを特徴とする空気清浄機。
【請求項２】
本体の１つの面に吸気口、該吸気口の反対側の面に吹出し口を有し、前記本体に集塵フィルタ及び脱臭フィルタを備えた空気清浄機において、
上面及び側面のいずれか一方又は両方に吸排気口を有する第１のパネルと、前面に吸排気口を有する第２のパネルとを備え、
前記第１のパネルを前記本体の吸気口側又は排気口側に取り付け、前記第２のパネルを前記第１のパネルとは反対側の面に取り付けたことを特徴とする空気清浄機。
【請求項３】
前記第１のパネルの前記本体に対する取り付け構造と、前記第２のパネルの前記本体に対する取り付け構造を同一にしたことを特徴とする請求項２記載の空気清浄機。
【発明の詳細な説明】
【０００１】
【発明の属する技術分野】
本発明は空気清浄機に関し、さらに詳しくは本体の吸気口と吹出し口に、２種類の異なった吸排気口を持つパネルを取り付けることのできる空気清浄機に関する。
【０００２】
【従来の技術】
従来の空気清浄機では、本体の前面の吸気口から吸気されて浄化された空気が、本体後方の上面の吹出し口から排気されるものがあった。またこのような空気清浄機の中には、タバコの煙等の局所的に汚染された空気を浄化するために吸気口を狭くしたり、部屋全体の空気を浄化できるように吸気口を広くしたりすることのできる空気清浄機があった。
【０００３】
【特許文献１】
特開２００２−３２３２４３号公報（第５頁、図１）
【０００４】
【発明が解決しようとする課題】
従来の空気清浄機では（例えば、特許文献１参照）、本体の前面の吸気口から吸気され浄化された空気が本体後方の上面の吹出し口から排気されるため、タバコの煙等の局所的に汚染された空気が拡散するのを防ぎ、汚染された空気を浄化するのには有効であったが、浄化された空気を積極的に吸いたい、特定の場所を浄化された空気で満たしたいという要望には応えられなかった。
【０００５】
本発明は、浄化された空気を吸うことができ、特定の場所を浄化された空気で満たすことができる空気清浄機を提供することを目的とする。また、上記のように浄化された空気を吸うことができ、特定の場所を浄化された空気で満たすことができると共に、タバコの煙等の比較的局所的に汚染された空気が拡散するのを防ぎ、汚染された空気を浄化することができるように使用者が選択することができる空気清浄機を提供することを目的とする。
【０００６】
【課題を解決するための手段】
本発明に係る空気清浄機は、本体の１つの面に吸気口、該吸気口の反対側の面に吹出し口を有し、本体に集塵フィルタ及び脱臭フィルタを備えた空気清浄機において、本体の吸気口側に、上面及び側面のいずれか一方又は両方に吸排気口を有する第１のパネルを配置し、本体の吹出し口側に、前面に吸排気口を有する第２のパネルを配置したものである。
【０００７】
また本発明に係る空気清浄機は、本体の１つの面に吸気口、該吸気口の反対側の面に吹出し口を有し、本体に集塵フィルタ及び脱臭フィルタを備えた空気清浄機において、上面及び側面のいずれか一方又は両方に吸排気口を有する第１のパネルと、前面に吸排気口を有する第２のパネルとを備え、第１のパネルを本体の吸気口側又は排気口側に取り付け、第２のパネルを第１のパネルとは反対側の面に取り付けたものである。
【０００８】
【発明の実施の形態】
実施形態１．
図１は、本発明の実施形態１に係る空気清浄機の外観の斜視図である。空気清浄機１は、本体２と、上面及び側面に第１の吸排気口３を有する第１のパネル４と、前面に第２の吸排気口５を有する第２のパネル６からなる。なお、本実施形態１では図１の矢印の方向に風が流れ、空気清浄機１は第１の吸排気口３から汚れた空気を吸気し、第２の吸排気口５から浄化された空気を吹き出す。なお第１の吸排気口３は、上面又は側面だけに設けてもよく、また上面と、片側の側面に設けてもよい。また第２の吸排気口５は、第２のパネル６の前面に広く取るのが望ましい。
【０００９】
図２は、図１の空気清浄機１の縦断面図である。図１で示した部品には同一の符号が付されている。空気清浄機１の本体２の内部には、風の流れる側から集塵フィルタ７，モータ８，モータ８によって回転する送風ファン９，脱臭フィルタ１０が内蔵されている。図２において、風の流れは矢印に示したようになっている。モータ８が回転することにより送風ファン９が外気を吸気し、第１の吸排気口３から吸気された空気は本体２の吸気口側にある集塵フィルタ７で除塵される。除塵された空気は本体２の内部を通過し、本体２の吹出し口側にある脱臭フィルタ１０で脱臭され、第２の吸排気口５からゆっくりと排気される。
【００１０】
図３は、本発明の実施形態１に係る空気清浄機１を分解したときの斜視図である。本体２の吸気口側に第１の吸排気口を有する第１のパネル４が配置され、本体２の吹出し口側に第２の吸排気口５を有する第２のパネル６が配置される。また、本体２の吸込口側と吹出し口側の表面には上部に係止部１１ａと下部に係合孔１１ｂがそろぞれ設けられており、第１のパネル４と第２のパネル６の内側には係止部１１ａと係合孔１１ｂに対応して上部に係止突部１２ａと係止爪１２ｂが設けられている。これにより、本体２の両面に第１のパネル４と第２のパネル６が分離自在に結合されるようになっている。
【００１１】
本実施形態１では、従来の空気清浄機と異なり、本体２の吸気口側に上面及び側面に第１の吸排気口３を有する第１のパネル４を配置し、本体２の吹出し口側に、前方に第２の吸排気口５を持つ第２のパネル６を配置して、本体２の吸気口側の上面及び側面から汚れた空気を吸気し、本体２の吹出し口側から浄化された空気をゆっくり吹き出すことにより、本体２の吹出し口側に浄化された空気の空間を作りだし、浄化された空気を積極的に吸うことができる。
【００１２】
また、第２の吸排気口５を第２のパネル６の前面に広く取ることにより、浄化された空気が広い面積からゆっくりと吹き出すため、本体２の吹出し口側に浄化された空気の空間を作り出すことができ、また緩やかな風であるため心地よくきれいな空気を吸うことができる。
【００１３】
実施形態２．
図４は、本発明の実施形態２に係る空気清浄機の外観の斜視図である。同一の符号を付したものは実施形態１と同じものである。ただし本実施形態２では、矢印に示した方向に風が流れ、実施形態１とは第１の吸排気口３を有する第１のパネル４と第２の吸排気口５を有する第２のパネル６の位置関係が逆になっている。言い換えれば、本体２の吸気口側と吹出し口側が逆になっているということである。
【００１４】
図５は、本発明の実施形態２に係る空気清浄機１を分解したときの斜視図である。図５に示すように、本体２の吸気口側（集塵フィルタ７側）の表面が第２のパネル６と向き合うこととなる。また、本体２の吸気口側に設けた係止部１１ａと係合孔１１ｂは、本体２の吹出し口側に設けた係止部１１ａと係合孔１１ｂ（図５で図示せず、図３参照）と同一の構造となっている。ここで係止部１１ａと係合孔１１ｂが同一の構造とは、吸気口側の取り付け構造と吹出し口側の取り付け構造が、第１のパネル４と第２のパネル６のいずれも取り付けられることを意味する。このとき、使用者が第１のパネル４と第２のパネル６を容易に交換できるように、第１のパネル４と第２のパネル６の寸法を同じにしてもよい。
【００１５】
図６は、図４の空気清浄機１の縦断面図である。図５と同様に本体２の向きが逆になっており、第１のパネル４と第２のパネル６の位置関係が逆になっている。それに伴い風の流れる方向も逆になっている。なお、実施形態１と同様に第２の吸排気口５は、第２のパネル６の前面に広く取ることが望ましい。また、第１の吸排気口３は上面又は側面だけに設けてもよく、また上面と、片側の側面に設けてもよい。
【００１６】
本実施形態２では、本体２に対する第１のパネル４と第２のパネル６の取り付け構造を同一にしたことにより、空気清浄機１の前面側から汚れた空気を吸気し、空気清浄機１の後部上面及び側面から浄化された空気を吹き出すものに変更することができる。これにより、タバコの煙等の局所的に汚染された空気を浄化するような一般的に使用されている空気清浄機の機能を発揮することができる。
また、本体２に対する第１のパネル４と第２のパネル６の取り付け構造を同一にしたことにより、実施形態１のように空気清浄機１の後部の上面及び側面から汚れた空気を吸気して空気清浄機１の前面側から浄化された空気を吹き出す使用方法を選択することもできる。
【００１７】
【発明の効果】
以上のように本発明によれば、本体の吸気口側に上面及び側面に第１の吸排気口を有する第１のパネルを配置し、本体の吹出し口側に前方に第２の吸排気口を持つ第２のパネルを配置したことにより、本体の吸気口側の上面及び側面から汚れた空気を吸気し、本体の吹出し口側から浄化された空気をゆっくり吹き出すことにより、本体の吹出し口側に浄化された空気の空間を作りだし、浄化された空気を積極的に吸うことができる。
【００１８】
また本発明によれば、空気清浄機の前面側から汚れた空気を吸気し、空気清浄機の後部上面及び側面から浄化された空気を吹き出すものに変更することができ、空気清浄機の後部の上面及び側面から汚れた空気を吸気して空気清浄機の前面側から浄化された空気を吹き出す使用方法を選択することもできる。
【図面の簡単な説明】
【図１】本発明の実施形態１に係る空気清浄機の外観の斜視図である。
【図２】図１の空気清浄機の縦断面図である。
【図３】図１の空気清浄機を分解したときの斜視図である。
【図４】本発明の実施形態１に係る空気清浄機の外観の斜視図である。
【図５】図４の空気清浄機を分解したときの斜視図である。
【図６】図４の空気清浄機の縦断面図である。
【符号の説明】
１  空気清浄機、２  本体、３  第１の吸排気口、４  第１のパネル、５  第２の吸排気口、６  第２のパネル、７  集塵フィルタ、８  モータ、９  送風ファン、１０  脱臭フィルタ、１１ａ  係止部、１１ｂ  係合孔、１２ａ  係止突部、１２ｂ  係止爪。
【図１】
2004293956.tif 000003
【図２】
2004293956.tif 000004
【図３】
2004293956.tif 000005
【図４】
2004293956.tif 000006
【図５】
2004293956.tif 000007
【図６】
2004293956.tif 000008